(57)【要約】  【課題】分割されたブーツを容易に一体とすることができるブーツの提供。  【解決手段】第２の分割ブーツ１３の固定バンド１３７が有する鈎状部Ｋ１３７と第１の分割ブーツ１１の固定バンド取付部１１９が有する係合部Ｋ１１９とが係合することによって、第２の分割ブーツ１３の固定バンド１３７と第１の分割ブーツ１１の固定バンド取付部１１９との係合が実現される。また、同様にして、第１の分割ブーツ１１の固定バンド１１７と第２の分割ブーツ１３の固定バンド取付部１３９との係合も実現される。このように、第１の分割ブーツ１１及び第２の分割ブーツ１３の対応する固定バンドと固定バンド取付部とを係合させることによって、第１の分割ブーツ１１と第２の分割ブーツ１３とを容易に一体とすることができる。【選択図】    図１
2008267504.tif 000002
【特許請求の範囲】
【請求項１】
所定の継手に取り付ける前に、少なくとも１つの分割面において縦方向に沿って分割されており、前記継手に取り付けた後には、前記分割面において一体とされるブーツにおいて、
所定の継手の小径軸に取り付けるための小径取付部、
前記継手の大径軸に取り付けるための大径取付部、
前記小径取付部と前記大径取付部との間を接続する接続部、
分割された前記ブーツを一体とする際に、少なくとも１つの分割面を横断する長さを有する第１の固定部、
少なくとも１つの前記分割面を横断した前記固定部を、所定の位置に固定する第２の固定部、
を有するブーツ。
【請求項２】
請求項１に係るブーツにおいて、さらに、
前記第１の固定部は、突出部を有しており、
前記第２の固定部は、前記突出部と係合する係合部を有するブーツ。
【請求項３】
請求項２に係るブーツにおいて、
前記第２の固定部は、さらに、
前記第１の固定部を貫通させる貫通孔を有する中空柱状形状を有しており、
前記貫通孔の少なくとも一部の断面積が、前記突出部の断面積より小さいブーツ。
【請求項４】
請求項３に係るブーツにおいて、
前記第２の固定部は、さらに、
前記第１の固定部の前記突出部の形状に対応する孔であるブーツ。
【請求項５】
請求項４に係るブーツにおいて、
前記第１の固定部及び前記第２の固定部は、さらに、
前記大径取付部又は前記小径取付部、若しくは前記大径取付部及び前記小径取付部、に設けられるブーツ。
【発明の詳細な説明】
【技術分野】
【０００１】
本発明は、所定の継手に使用するブーツであって、特に、分割されたブーツを容易に一体とすることができるものに関する。
【背景技術】
【０００２】
従来の継手用のブーツを図１７に示すブーツ１０１に基づき説明する。ブーツ１０１は、軸方向一端に形成された小径の取付部１１１と、軸方向他端に形成された大径の取付部１１２と、これら両取付部１１１、１１２の間に円周方向に延びる山部１１３ａおよび谷部１１３ｂが反復的に形成された薄肉の蛇腹部１１３とを有している。前記取付部１１１、１１２の外周面には、それぞれ円周方向に延びるバンド取付溝１１１ａ、１１２ａが形成されており、このバンド取付溝１１１ａ、１１２ａにそれぞれ、前記取付部１１１、１１２を例えば自在継手のジョイント軸およびアウターレースの外周面に緊結するためのバンドが巻装されるようになっている。
【０００３】
図１におけるII−II' 断面図である図１８に示すように、ブーツ１０１は、その円周方向一箇所で分割されている。ブーツ１０１の一方の分割端部１１４には、凸条１１６が他方の分割端部１１５との対向方向に突出形成されており、他方の分割端部１１５には、前記凸条１１６と対応する溝状の凹条１１７が形成されている。これら凸条１１６および凹条１１７は、前記ブーツ１０１の断面形状に沿って蛇腹部１１３の軸方向全長にわたって延在されている。
【０００４】
以上の構成を備える分割型ブーツは、先に説明したように、例えば図示されていない自在継手の密封手段として装着される。この装着に際しては、ブーツ１の分割部を開き、小径側の取付部１１１が前記自在継手のジョイント軸側、大径側の取付部１１２がアウターレース側となるように、側方から前記自在継手に被せ、一方の分割端部１１４の凸条１１６と他方の分割端部１１５の凹条１１７を、分離状態から挿し込み嵌合することによって、前記分割端部１１４、１１５同士を仮結合する。
【０００５】
【特許文献１】特開２０００−２９７８２５
【発明の開示】
【発明が解決しようとする課題】
【０００６】
前述のブーツ１０１には、次のような問題点がある。ブーツ１０１では、自在継手に取り付けられるという機能上の問題から、弾力性が求められる。このため、分割されたブーツを一体化する作業の際に力を入れると、ブーツの形状が変形する。また、ブーツでは、自在継手の変化に応じる必要があるため、蛇腹形状の蛇腹部１１３が採用されている。このため、一方の分割端部１１４の凸条１１６を他方の分割端部１１５の凹条１１７にはめ込んで、分割されたブーツを一体化する作業が非常に手間がかかる。
【０００７】
つまり、分割されたブーツを一体化する作業に手間がかかる上に、苦労して一部について一体化できたとしても、他の一部を一体化する作業の際に余分な力がブーツにかかって、ブーツの形状が変形し、これまでに一体化を終えた部分がはずれてしまう場合があり、一体化の作業が非常に手間がかかる、という問題点がある。
【０００８】
また、一般的なブーツでは、接着剤を用いて分割端部１１４と分割端部１１５とを接合する。接着剤は、取り付け時の気温や固定時間によって接着力に差が出るため、接着剤での接合がうまく行えず、失敗することも多かった。
【０００９】
そこで、本発明は、分割されたブーツを容易に一体とすることができるブーツを提供することを目的とする。
【課題を解決するための手段】
【００１０】
本発明に関する課題を解決するための手段及び発明の効果を以下に示す。
【００１１】
本発明に係るブーツは、所定の継手に取り付ける前に、少なくとも１つの分割面において縦方向に沿って分割されており、前記継手に取り付けた後には、前記分割面において一体とされるブーツにおいて、所定の継手の小径軸に取り付けるための小径取付部、前記継手の大径軸に取り付けるための大径取付部、前記小径取付部と前記大径取付部との間を接続する接続部、分割された前記ブーツを一体とする際に、少なくとも１つの分割面を横断する長さを有する第１の固定部、少なくとも１つの前記分割面を横断した前記固定部を、所定の位置に固定する第２の固定部を有する。
【００１２】
これにより、容易に分割されたブーツを一体とすることができる。
【００１３】
本発明に係るブーツは、さらに、前記第１の固定部は、突出部を有しており、前記第２の固定部は、前記突出部と係合する係合部を有する。
【００１４】
これにより、分割されたブーツを容易に一体とすることができる構成を実現できる。
【００１５】
本発明に係るブーツでは、前記第２の固定部は、さらに、前記第１の固定部を貫通させる貫通孔を有する中空柱状形状を有しており、前記貫通孔の少なくとも一部の断面積が、前記突出部の断面積より小さい。
【００１６】
これにより、分割されたブーツを容易に一体とすることができる構成を実現できる。
【００１７】
本発明に係るブーツでは、前記第２の固定部は、さらに、前記第１の固定部の前記突出部の形状に対応する孔である。
【００１８】
これにより、分割されたブーツを容易に一体とすることができる構成を実現できる。
【００１９】
本発明に係るブーツでは、前記第１の固定部及び前記第２の固定部は、さらに、前記大径取付部又は前記小径取付部、若しくは前記大径取付部及び前記小径取付部、に設けられる。
【００２０】
これにより、分割された大径取付部を一体とする際に労力を有する大径取付部、小径取付部の一体化作業を容易に行うことができる。
【発明を実施するための最良の形態】
【００２１】
本発明におけるブーツの実施例を以下において説明する。
【実施例１】
【００２２】
1.  ブーツ１の構成
本発明に係るブーツ１の構造を図１を用いて説明する。図１Ａはブーツ１の正面図であり、図１Ｂはブーツ１の図１ＡにおけるＡ−Ａ断面を示す図である。図１Ｂに示すように、ブーツ１は、中心軸Ｃに沿う分割面Ｓ１、分割面Ｓ３という２つの分割面を有している。ブーツ１は、一対の第１の分割ブーツ１１及び第２の分割ブーツ１３により構成されている。
【００２３】
図１Ａは、ブーツ１を第１の分割ブーツ１１側から見た正面図である。第１の分割ブーツ１１は、大径取付部１１１、小径取付部１１３、接続部１１５、固定バンド１１７、及び固定バンド取付部１１９を有している。大径取付部１１１には、アウターレースが取り付けられる。小径取付部１１３には、自在継手のジョイント軸が取り付けられる。接続部１１５は、蛇腹形状を有しており、大径取付部１１１と小径取付部１１３とを接続する。固定バンド１１７及び固定バンド取付部１１９は、ブーツ１をアウターレースに取り付ける際に、クランプを用いて本取付を行う前の第１の分割ブーツ１１と第２の分割ブーツ１３との仮止めに用いられる。
【００２４】
第２の分割ブーツ１３も、基本的には第１の分割ブーツ１１と同様の構成を有している。したがって、以下においては、第１の分割ブーツ１１について詳細な構成を説明し、第２の分割ブーツ１３については、第１の分割ブーツ１１とは異なる部分を適宜説明する。
【００２５】
1.1.  第１の分割ブーツ１１及び第２の分割ブーツ１３
第１の分割ブーツ１１の詳細な構成を図２を用いて説明する。図２は、第１の分割ブーツ１１の斜視図である。
【００２６】
大径取付部１１１は、クランプを取り付けるためのクランプ取付部１１１ａ、クランプ取付部１１１ａに対して外側に位置する外側凸部１１１ｂ、クランプ取付部１１１ａに対して内側に位置する内側凸部１１１ｃ、分割面Ｓ１によって当該第１の分割ブーツ１１に形成される接合面Ｓ１ａに設けられる第１の大径接合凸部１１１ｄ、及び分割面Ｓ３によって当該第１の分割ブーツ１１に形成される接合面Ｓ３ａに設けられる第２の大径接合凸部１１１ｅを有している。
【００２７】
クランプ取付部１１１ａは、外側凸部１１１ｂ及び内側凸部１１１ｃよりも低い高さを有している。このような構成とすることによって、クランプ取付部１１１ａが形成されている領域に溝を形成し、クランプの固定を容易としている。
【００２８】
内側凸部１１１ｃは、平坦な外周面を有している。当該外周面に、固定バンド１１７及び固定バンド取付部１１９が設けられている。
【００２９】
第１の大径接合凸部１１１ｄは、接合面Ｓ１ａに対して垂直に突出するように形成されている。第１の大径接合凸部１１１ｄは、先端に鈎状の突出部Ｋ１を有している。第２の大径接合凸部１１１ｅも、第１の大径接合凸部１１１ｄと同様に、接合面Ｓ３ａに対して垂直に突出するように形成されている。第２の大径接合凸部１１１ｅは、先端に鈎状の突出部Ｋ３を有している。
【００３０】
ここで、第２の分割ブーツ１３の大径取付部１３１の構成について図３を用いて説明する。図３は、第２の分割ブーツ１３の斜視図である。
【００３１】
大径取付部１３１は、クランプ取付部１３１ａ、外側凸部１３１ｂ、内側凸部１３１ｃ、第１の大径接合凹部１３１ｄ、及び第２の大径接合凹部１３１ｅを有している。クランプ取付部１３１ａ、外側凸部１３１ｂ、及び内側凸部１３１ｃについては、第１の分割ブーツ１１の大径取付部１１１のクランプ取付部１１１ａ、外側凸部１１１ｂ、及び内側凸部１１１ｃと同様の構成を有している。
【００３２】
第１の大径接合凹部１３１ｄは、分割面Ｓ１によって当該第２の分割ブーツ１３に形成される接合面Ｓ１ｂに設けられる。第１の大径接合凹部１３１ｄは、接合面Ｓ１ｂに対して垂直に搾孔するように形成されている。第１の大径接合凹部１３１ｄは、第１の大径接合凸部１１１ｄの鈎状の突出部Ｋ１１１ｄに対応する搾孔部Ｋ１３１ｄ（図４参照）を有している。
【００３３】
第２の大径接合凹部１３１ｅについても、第１の大径接合凹部１３１ｄと同様である。
【００３４】
図１Ａに戻って、第１の分割ブーツ１１の小径取付部１１３は、クランプ取付部１１３ａ、外側凸部１１３ｂ、内側凸部１１３ｃ、第１の小径接合凸部１１３ｄ（図示せず）、及び第２の小径接合凸部１１３ｅ（図示せず）を有している。クランプ取付部１１３ａ、外側凸部１１３ｂ、及び内側凸部１１３ｃについては、第１の分割ブーツ１１の大径取付部１１１のクランプ取付部１１１ａ、外側凸部１１１ｂ、及び内側凸部１１１ｃと同様の構成を有している。但し、小径取付部１１３には固定バンド１１７及び固定バンド取付部１１９を設けていないので、内側凸部１１３ｃは、平坦な外周面を有していない。また、図２に示すように、第２の小径接合凸部１１３ｅは、第２の大径接合部１１１ｅとは異なり、先端に突出部を有していない。第２の小径接合凸部１１３ｅは、外側の端部が半円状の矩形形状である断面を有している。第１の小径接合凸部１１３ｄについても同様である。
【００３５】
図２に示すように、第１の分割ブーツ１１の接続部１１５は、大径取付部１１１及び小径取付部１１３に対して連続的に形成されている。接続部１１５は、凸部と凹部とが連続する蛇腹形状を有する本体部１１５ａを有している。また、接続部１１５は、接合面Ｓ１ａに設けられる第１の接合凸部１１５ｂ、及び、接合面Ｓ３ａに設けられる第２の接合凸部１１５ｃを有している。第１の接合凸部１１５ｂは、第１の小径接合部１１３ｄと同様に、外側の端部が半円状の矩形形状である断面を有している。第２の接合凸部１１５ｃについても同様である。
【００３６】
次ぎに、第２の分割ブーツ１３の接続部１３５について、図３を用いて説明する。接続部１３５は、本体部１３５ａ、第１の接合凹部１３５ｂ、及び第２の接合凹部１３５ｃを有している。本体部１３５ａは、接続部１１５における本体部１１５ａと同様である。第１の接合凹部１３５ｂは、接続部１１５における第１の接合凸部１１５ｂの形状と対応する溝によって構成されている。第２の接合凹部１３５ｃについても、同様である。
【００３７】
1.2.  固定バンド及び固定バンド取付部
図１Ａに示すように、第１の分割ブーツ１１の固定バンド１１７は、内側凸部１１１ｃに形成される平坦な外周面に設けられている。また、図１Ｂに示すように、固定バンド１１７は、バンド部１１７ａ及び凸状固定部１１７ｂを有している。バンド部１１７ａは、細長い帯形状を有している。また、固定バンド１１７は、第１の分割ブーツ１１と第２の分割ブーツ１３とを一体とする際に、分割面Ｓ１を横断して、第２の分割ブーツ１３のバンド取付部１３９と係合する長さを有している。なお、第２の分割ブーツ１３の固定バンド１３７についても、同様である。
【００３８】
図１Ｂにおける領域Ｃの拡大図を図４に示す。凸状固定部１３７ｂは、直角三角柱形状を有しており、断面における直角部が大径取付部１３１側に位置するように、バンド部１３７ａの途中に配置される。バンド部１３７ａに凸状固定部１３７ｂが配置されることによって、鈎状部Ｋ１３７が形成される。なお、バンド部１３７ａに凸状固定部１３７ｂが形成されている領域において、バンド部１３７ａ及び凸状固定部１３７ｂを含めた固定バンド１３７のｙｚ断面であって、最大の面積を有する断面を係合断面とする。図４Ａにおいては、凸状固定部１３７ｂの内側凸部１３１ｃに最も近い面を含む面Ｐ１３７が係合断面となる。
【００３９】
バンド取付部１１９は、大径取付部１１１の内側凸部１１３ｃに、当該内側凸部１１３ｃの外周方向に沿って形成される角柱形状の貫通孔Ｈ１１９を有する中空角柱形状を有している。貫通孔Ｈ１１９は、分割面Ｓ１に近いバンド挿入開口Ｗ１及びバンド挿入開口Ｗ１に対するもう一方の開口であるバンド引出開口Ｗ３を有している。バンド挿入開口Ｗ１及びバンド引出開口Ｗ３は、共に矩形形状を有している。バンド挿入開口Ｗ１は、係合面とほぼ同じ面積を有している。
【００４０】
また、貫通孔Ｈ１１９のバンド引出開口Ｗ３の下部付近に内側凸部１１３ｃの外周面から突出するように係合部Ｋ１１９が形成されている。これにより、バンド引出開口Ｗ３が、バンド部１１７ａの断面より若干大きい面積であるが、係合面よりは小さい面積を有するようにすることができる。
【００４１】
図４Ｂに、第２の分割ブーツ１３の固定バンド１３７が有する鈎状部Ｋ１３７と第１の分割ブーツ１１の固定バンド取付部１１９が有する係合部Ｋ１１９とを係合させた状態を示す。
【００４２】
第２の分割ブーツ１３の固定バンド１３７が有する鈎状部Ｋ１３７と第１の分割ブーツ１１の固定バンド取付部１１９が有する係合部Ｋ１１９とが係合することによって、第２の分割ブーツ１３の固定バンド１３７と第１の分割ブーツ１１の固定バンド取付部１１９との係合が実現される。また、同様にして、第１の分割ブーツ１１の固定バンド１１７と第２の分割ブーツ１３の固定バンド取付部１３９との係合も実現される。このように、第１の分割ブーツ１１及び第２の分割ブーツ１３の対応する固定バンドと固定バンド取付部とを係合させることによって、第１の分割ブーツ１１と第２の分割ブーツ１３とを容易に一体とすることができる。図５に、第１の分割ブーツ１１と第２の分割ブーツ１３とを一体とした状態における図１ＡのＡ−Ａ断面を示す。
【実施例２】
【００４３】
1.  ブーツ２の構成
本発明に係るブーツの一つであるブーツ２の概要を図６を用いて説明する。実施例１においては、第１の分割ブーツ１１及び第２の分割ブーツ１３のそれぞれに、固定バンド１１７、１３７及び固定バンド取付部１１９、１３９を形成するようにした。一方、実施例２におけるブーツ２では、第１の分割ブーツ１１にのみ固定バンド２１７及び固定バンド取付部１１９を形成するようにしている。なお、本実施例において実施例１と同様の構成については、同じ番号を付している。
【００４４】
以下においては、実施例２について、実施例１とは異なる部分を説明する。図６に示すように、本実施例における第１の分割ブーツ１１の内側凸部１１３ｃには、固定バンド２１７及び固定バンド取付部１１９が形成されている。固定バンド２１７は、バンド部２１７ａ及び凸状固定部２１７ｂを有している。バンド部２１７は、断面形状については実施例１のバンド部１１７ａと同様であるが、長さが異なる。
【００４５】
実施例１においては、図１Ｂに示すように、第１の分割ブーツ１１の固定バンド１１７の凸状固定部１１７ｂは、第１の分割面Ｓ１を挟んでほぼ対向して位置する第２の分割ブーツ１３のバンド取付部１３９との係合を行うものであった。このため、バンド部１１７ａが固定されている内側凸部１１３ｃの外周面から凸状固定部１１７ｂまでの長さＬ１は、比較的短く構成されていた。
【００４６】
一方、実施例２においては、図６に示すように、第１の分割ブーツ１１にのみバンド部２１７ａ及びバンド取付部１１９が形成されている。したがって、第１の分割ブーツ１１と第２の分割ブーツ１３とを固定バンド２１７によって一体とするためには、図７に示すように、バンド部２１７ａを第１の分割面Ｓ１から第２の分割面Ｓ３まで、第２の分割ブーツ１３の大径取付部１３１に沿って取り回し、第１の分割ブーツ１１の大径取付部１１１においてバンド部２１７が固定されていた位置とほぼ反対側に位置する固定バンド取付部１１９に係合させる必要ある。よって、本実施例における固定バンド２１７においては、図６に示すように、バンド部２１７ａが固定されている内側凸部１１３ｃの外周面から凸状固定部２１７ｂまでの長さＬ２は、少なくとも第２の分割ブーツ１３の大径取付部１３１の内側凸部１３１ｃの外周面の長さを必要とし、実施例１と比較して長く構成されている。固定バンド２１７は、第１の分割ブーツ１１と第２の分割ブーツ１３とを一体とする際に、分割面Ｓ１、分割面Ｓ２を横断して、第２の分割ブーツ１３のバンド取付部１９と係合する長さを有している。
【実施例３】
【００４７】
1.  ブーツ３の構成
本発明に係るブーツの一つであるブーツ３の概要を図８を用いて説明する。実施例１においては、第１の分割ブーツ１１及び第２の分割ブーツ１３のそれぞれに、固定バンド１１７、１３７及び固定バンド取付部１１９、１３９を形成するようにした。一方、実施例３におけるブーツ３では、固定バンド３１７を第１の分割ブーツ１１とは別の部材として構成するようにしている。なお、本実施例において実施例１と同様の構成については、同じ番号を付している。
【００４８】
以下においては、実施例３について、実施例１とは異なる部分を説明する。図８に示すように、本実施例における第１の分割ブーツ１１の内側凸部１１１ｃには、固定バンド取付部１１９及び固定バンド取付部３１９が形成されている。また、本実施例における第２の分割ブーツ１３の内側凸部１３１ｃには、固定バンド取付部１３９及び固定バンド取付部３３９が形成されている。
【００４９】
固定バンド３１７は、バンド部３１７ａ、第１の凸状固定部３１７ｂ、及び第２の凸状固定部３１７ｃを有している。第１の凸状固定部３１７ｂは、実施例１における凸状固定部１１７ｂと同様の構成を有している。また、第２の凸状固定部３１７ｃは、第１の凸状固定部３１７ｂと同様の構成を有している。なお、固定バンド３１７は、第１の分割ブーツ１１と第２の分割ブーツ１３とを一体とする際に、分割面Ｓ１を横断して、第１の分割ブーツ１１のバンド取付部３３９及び第２の分割ブーツ１３のバンド取付部１３９と係合する長さを有している。
【００５０】
図８における領域Ｃの拡大図を図９Ａに示す。固定バンド取付部３３９は、固定バンド取付部１１９と同様の構成を有している。なお、固定バンド取付部３３９は、固定バンド取付部１１９とは、分割面Ｓ３を軸とした左右反対の関係となるように構成されている。
【００５１】
図９Ａに示す固定バンド取付部１１９及び固定バンド取付部３３９に、固定バンド３３７を取り付けた状態を図９Ｂに示す。固定バンド３３７の第１の鈎状部Ｋ３３７ｂと固定バンド取付部１１９の係合部Ｋ１１９とを係合させることによって、固定バンド３３７を固定バンド取付部１１９に固定する。また、固定バンド３３７の第２の鈎状部Ｋ３３７ｃと固定バンド取付部３３９の係合部Ｋ３３９とを係合させることによって、固定バンド３３７を固定バンド取付部３３９に固定する。
【００５２】
なお、固定バンド取付部１３９、固定バンド取付部３１９及び固定バンド３１７についても、それぞれ固定バンド取付部１１９、固定バンド取付部３３９及び固定バンド３３７と同様である。
【実施例４】
【００５３】
1.  ブーツ４の概要
本発明に係るブーツの一つであるブーツ４の概要を図１０を用いて説明する。実施例１においては、固定バンド１１７の鈎状部Ｋ１１７を固定バンド取付部１３９の係合部Ｋ１３９に係合させることによって、また、固定バンド１３７の鈎状部Ｋ１３７を固定バンド取付部１１９の係合部Ｋ１１９に係合させることによって、第１の分割ブーツ１１と第２の分割ブーツ１３とを一体としていた。一方、実施例４におけるブーツ４では、第１の分割ブーツ１１と第２の分割ブーツ１３とを一体とするための構成が実施例１とは異なっている。なお、本実施例において実施例１と同様の構成については、同じ番号を付している。
【００５４】
以下においては、実施例４について、実施例１とは異なる部分を説明する。図１０に示すように、本実施例における第１の分割ブーツ１１の内側凸部１１３ｃには、固定バンド４１７及び固定バンド取付部４１９が形成されている。また、本実施例における第２の分割ブーツ１３の内側凸部１３１ｃにも、固定バンド４３７及び固定バンド取付部４３９が形成されている。固定バンド４１７は、バンド部４１７ａ及び凸状固定部４１７ｂを有している。バンド部４１７ａは、実施例１のバンド部１１７ａと同様である。但し、バンド部４１７ａの長さについては、適宜調整されている。なお、固定バンド４１７は、第１の分割ブーツ１１と第２の分割ブーツ１３とを一体とする際に、分割面Ｓ１を横断して、第２の分割ブーツ１３のバンド取付部４３９と係合する長さを有している。凸状固定部４１７ｂは、実施例１の凸状固定部１１７ｂとは異なり、バンド部４１７ａからｙ軸方向へ板状若しくは棒状に突出した形状を有している。
【００５５】
図１０における領域Ｃの拡大図を図１１Ａに示す。固定バンド取付部４１９は、固定バンド４３７の凸状固定部４３７ｂ内部に収めることができる孔形状を有している。但し、固定バンド取付部４１９の孔は、固定バンド４３７の凸状固定部４３７ｂの形状より若干小さめ形成されている。このように、固定バンド取付部４１９の孔を固定バンド４３７の凸状固定部４３７ｂの形状より若干小さめ形成することによって、凸状固定部４３７ｂを固定バンド取付部４１９内に圧入するだけで、第１の分割ブーツ１１と第２の分割ブーツ１３とを容易に一体とすることが可能となる。
【００５６】
図１１Ａに示す固定バンド取付部４１９に、固定バンド４３７を取り付けた状態を図１１Ｂに示す。固定バンド４３７の凸状固定部４３７ｂを、固定バンド取付部４１９に圧入することによって、凸状固定部４３７ｂと固定バンド取付部４１９とを係合させ、固定バンド４３７を固定バンド取付部４１９に固定する。また、固定バンド取付部４３９及び固定バンド４１７についても、固定バンド取付部４１９及び固定バンド４３７と同様である。これにより、第１の分割ブーツ１１と第２の分割ブーツ１３とを容易に一体とすることができる。
【００５７】
［その他の実施例］
（１）分割面Ｓ１、Ｓ２
前述の実施例１〜実施例４においては、ブーツ１〜ブーツ４は、分割面Ｓ１及び分割面Ｓ２の２つの分割面により分割され、第１の分割ブーツ１１及び第２の分割ブーツ１３により構成されるとしたが、分割面により分割されるブーツであれば例示のものに限定されない。例えば、各ブーツは、１つの分割面により分割されるものであってもよい。この場合、ブーツは、１つの切れ目を有する構成となる。また、バーツは、３つ以上の分割面により分割されるものであってもよい。この場合、ブーツは、３つ以上の分割ブーツにより構成されることになる。
【００５８】
（２）固定バンド取付部１１９の係合部Ｋ１１９
前述の実施例１においては、固定バンド１１７の鈎状部Ｋ１１７と係合する固定バンド取付部１１９の係合部Ｋ１１９は、貫通孔Ｈ１１９のバンド引出開口Ｗ３の下部付近に設けられるとしたが、固定バンド１１７の鈎状部Ｋ１１７と係合できるものであれば例示のものに限定されない。例えば、図１２Ａに示すように、固定バンド取付部１１９の係合部Ｋ１１９を、貫通孔Ｈ１１９内に設けるようにしてもよい。また、図１２Ｂに示すように、固定バンド取付部１１９の係合部Ｋ１１９を、貫通孔Ｈ１１９のバンド挿入開口Ｗ１の下部付近に設けるようにしてもよい。
【００５９】
なお、このように貫通孔Ｈ１１９内に係合部Ｋ１１９を設けることによって、係合部Ｋ１１９の端面を含む面における貫通孔Ｈ１１９の面積を、固定バンド取付部１１９の係合部Ｋ１１９の所定断面の面積より小さくすることができる。
【００６０】
また、前述の実施例１における断面三角形状の係合部Ｋ１１９ではなく、図１３に示すような断面矩形状の係合部Ｋ１１９’を用いるようにしてもよい。実施例２、実施例３についても同様である。
【００６１】
（３）固定バンド１１７の凸状固定部１１７ｂ
前述の実施例１においては、固定バンド１１７の凸状固定部１１７ｂは、バンド部１１７ａの表面からｙ軸方向（図１参照）に突出するものとしたが、固定バンド取付部１１９と係合できるものであれば、例示のものに限定されない。例えば、図１４に示すように、固定バンド１１７の凸状固定部１１７ｂは、バンド部１１７ａの表面からｘ軸、ｙ軸、ｚ軸のそれぞれの方向（図１参照）に突出する形状としてもよい。
【００６２】
（４）固定バンド取付部４１９
前述の実施例４においては、固定バンド４３７の凸状固定部４３７ｂは、バンド部４３７ａからｙ軸方向へ板状若しくは棒状に突出した形状を有しており、また、固定バンド取付部４１９は、凸状固定部４３７ｂを内部に収めることができる孔形状を有しているものとしたが、凸状固定部４３７ｂと固定バンド取付部４１９との係合を実現できるものであれば、例示のものに限定されない。例えば、図１５Ａに示すように、固定バンド取付部４１９’として、ブーツ４の内側に向かって搾孔して形成される孔形状であり、孔の先端部に係合部Ｋ４１９’を設け、一方、凸状固定部４３７ｂ’として、バンド部４３７ａからｙ軸方向へ板状若しくは棒状に突出し、先端部に固定バンド取付部４１９’の係合部Ｋ４１９’と係合する鈎状部Ｋ４３７ｂ’を設けるようにしてもよい。  図１５Ａに示す固定バンド取付部４１９’に、固定バンド４３７’を取り付けた状態を図１５Ｂに示す。
【００６３】
さらに、図１６Ａに示すように、固定バンド取付部４１９’’として、ブーツ４の内側に向かって搾孔して形成される孔形状であり、孔の側面部に係合部Ｋ４１９’’を設け、一方、凸状固定部４３７ｂ’’として、バンド部４３７ａからｙ軸方向へブロック状に突出したボタン形状を有し、側面部に固定バンド取付部４１９’’の係合部Ｋ４１９’’と係合する鈎状部Ｋ４３７ｂ’’を設けるようにしてもよい。  図１６Ａに示す固定バンド取付部４１９’’に、固定バンド４３７’’を取り付けた状態を図１６Ｂに示す。なお、凸状固定部４３７ｂ’’及び固定バンド取付部４１９’’のそれぞれの側面部に設けられた鈎状部Ｋ４３７ｂ’’及び係合部Ｋ４１９’’に代えて、それぞれの先端部に図１５Ａに示す鈎状部Ｋ４３７ｂ’及び係合部Ｋ４１９’を設けるようにしてもよい。
【００６４】
（５）固定バンド及び固定バンド取付部
前述の実施例１〜実施例４においては、各実施例における固定バンド及び固定バンド取付部を大径取付部１１１に設けることとしたが、第１の分割ブーツ１１と第２の分割ブーツ１３とを一体とすることができるのであれば、例示の位置に限定されない。例えば、固定バンド及び固定バンド取付部を、大径取付部１１１及び小径取付部１１３の両方に設けるようにしてもよい。また、小径取付部１１３のみに設けるようにしてもよい。
【００６５】
また、前述の実施例１〜実施例４においては、各実施例における固定バンド及び固定バンド取付部を、大径取付部１１１において、分割面毎に１組設けることとした。しかし、分割面毎に、複数組み設けるようにしてもよい。
【００６６】
さらに、前述の実施例２においては、固定バンド２１７、固定バンド取付部１１９を、それぞれ分割面Ｓ１、Ｓ３の近くに配置するとしたが、例示ものに限定されない。例えば、固定バンド２１７、固定バンド取付部１１９を、近接して配置することによって、大径取付部１１１のほぼ全ての外周面を固定バンド２１７によって固定することができるので、第１の分割ブーツ１１と第２の分割ブーツ１３との一体化を実現できるとともに、大径取付部１１１のアウターレースに対する固定をより確実なものとすることができる。
【００６７】
（６）固定バンド３１７、３３７及び固定バンド取付部１１９、１３９、３１９、３３９
前述の実施例３においては、固定バンド３１７における凸状固定部３１７ｂ、固定バンド３３７における凸状固定部３３７ｂは、実施例１における固定バンド１１７の凸状固定部１１７ｂと同様の構成とし、また、固定バンド取付部１１９、１３９、３１９、３３９についても、実施例１における固定バンド取付部１１９の係合部Ｋ１１９と同様の構成としたが、各固定バンドと対応する固定バンド取付部との係合を実現することができるものであれば、例示のものに限定されない。例えば、各固定バンドにおける凸状固定部、及び、各固定バンド取付部における係合部として、それぞれ、実施例４における凸状固定部４１７ｂ、４３７ｂ、及び、固定バンド取付部４１９、４３９を用いるようにしてもよい。
【図面の簡単な説明】
【００６８】
【図１】本発明における実施例１に係るブーツ１示した図であり、Ａはブーツ１の正面図、ＢはＡにおけるＡ−Ａ断面を示す図である。
【図２】図１における分割ブーツ１１の斜視図である。
【図３】図１における分割ブーツ１３の斜視図である。
【図４】図１における領域Ｃの拡大図であり、Ａは係合前を、Ｂは係合後を示した図である。
【図５】図１におけるブーツ１の係合後のＡ−Ａ断面を示した図である。
【図６】本発明における実施例２に係るブーツ２を示した図であり、図１ＡにおけるＡ−Ａ断面を示す図である。
【図７】図６におけるブーツ２の係合後のＡ−Ａ断面を示した図である。
【図８】本発明における実施例３に係るブーツ３を示した図であり、図１ＡにおけるＡ−Ａ断面を示す図である。
【図９】図８における領域Ｃの拡大図であり、Ａは係合前を、Ｂは係合後を示した図である。
【図１０】本発明における実施例４に係るブーツ４を示した図であり、図１ＡにおけるＡ−Ａ断面を示す図である。
【図１１】図１０における領域Ｃの拡大図であり、Ａは係合前を、Ｂは係合後を示した図である。
【図１２】本発明における他の実施例を示した図である。
【図１３】本発明における他の実施例を示した図である。
【図１４】本発明における他の実施例を示した図である。
【図１５】本発明における他の実施例を示した図である。
【図１６】本発明における他の実施例を示した図である。
【図１７】従来のブーツ１０１を示した図である。
【図１８】従来のブーツ１０１を示した図である。
【符号の説明】
【００６９】
１・・・ブーツ
１１・・・第１の分割ブーツ
１１１・・・大径取付部
１１１ａ・・・クランプ取付部
１１１ｂ・・・外側凸部
１１１ｃ・・・内側凸部
１１１ｄ・・・第１の大径接合凸部
１１１ｅ・・・第２の大径接合凸部
１１３・・・小径取付部
１１３ａ・・・クランプ取付部
１１３ｂ・・・外側凸部
１１３ｃ・・・内側凸部
１１３ｄ・・・第１の小径接合凸部
１１３ｅ・・・第２の小径接合凸部
１１５・・・接続部
１１５ａ・・・本体部
１１５ｂ・・・第１の接合凸部
１１５ｃ・・・第２の接合凸部
１１７・・・固定バンド
１１７ａ・・・バンド部
１１７ｂ・・・凸状固定部
１１９・・・固定バンド取付部
１３・・・第２の分割ブーツ
１３１・・・大径取付部
１３１ａ・・・クランプ取付部
１３１ｂ・・・外側凸部
１３１ｃ・・・内側凸部
１３１ｄ・・・第１の大径接合凹部
１３１ｅ・・・第２の大径接合凹部
１３３・・・小径取付部
１３３ａ・・・クランプ取付部
１３３ｂ・・・外側凸部
１３３ｃ・・・内側凸部
１３３ｄ・・・第１の小径接合凹部
１１３ｅ・・・第２の小径接合凹部
１３５・・・接続部
１３５ａ・・・本体部
１３５ｂ・・・第１の接合凹部
１３５ｃ・・・第２の接合凹部
１３７・・・固定バンド
１３７ａ・・・バンド部
１３７ｂ・・・凸状固定部
１３９・・・固定バンド取付部
２１７・・・固定バンド
２１７ａ・・・バンド部
２１７ｂ・・・凸状固定部
３１７・・・固定バンド
３１７ａ・・・バンド部
３１７ｂ・・・第１の凸状固定部
３１７ｃ・・・第２の凸状固定部
３１９・・・固定バンド取付部
３３９・・・固定バンド取付部
４１７・・・固定バンド
４１７ａ・・・バンド部
４１７ｂ・・・凸状固定部
４３７・・・固定バンド
４３７ａ・・・バンド部
４３７ｂ・・・凸状固定部
４１９・・・固定バンド取付部
４３９・・・固定バンド取付部
【図１】
2008267504.tif 000003
【図２】
2008267504.tif 000004
【図３】
2008267504.tif 000005
【図４】
2008267504.tif 000006
【図５】
2008267504.tif 000007
【図６】
2008267504.tif 000008
【図７】
2008267504.tif 000009
【図８】
2008267504.tif 000010
【図９】
2008267504.tif 000011
【図１０】
2008267504.tif 000012
【図１１】
2008267504.tif 000013
【図１２】
2008267504.tif 000014
【図１３】
2008267504.tif 000015
【図１４】
2008267504.tif 000016
【図１５】
2008267504.tif 000017
【図１６】
2008267504.tif 000018
【図１７】
2008267504.tif 000019
【図１８】
2008267504.tif 000020